(57)【要約】【課題】内部の配線を簡素化できるシャッター眼鏡を提供する。【解決手段】シャッター眼鏡１は、左眼用シャッター２Ｌと右眼用シャッター２Ｒとを駆動する駆動回路が実装された回路基板５と、回路基板５に電力を供給する電池１２と、映像表示装置から送信される同期信号を受信する受信素子７と、を備える。回路基板５と電池１２と受信素子７は左眼用シャッター２Ｌと右眼用シャッター２Ｒとの間に配置されている。【選択図】図２
2012253633.tif 000002
【特許請求の範囲】
【請求項１】
左眼用シャッターと右眼用シャッターとを備え、映像表示装置に表示される映像に同期してそれらを開閉するシャッター眼鏡であって、
前記左眼用シャッターと前記右眼用シャッターとを駆動する駆動回路が実装された回路基板と、
前記回路基板に電力を供給する電池と、
前記映像表示装置から送信される同期信号を受信する受信素子と、を備え、
前記回路基板と前記電池と前記受信素子は前記左眼用シャッターと前記右眼用シャッターとの間に配置されている、
ことを特徴とするシャッター眼鏡。
【請求項２】
請求項１に記載のシャッター眼鏡において、
前記電池と前記回路基板は前後方向において並んでいる、
ことを特徴とするシャッター眼鏡。
【請求項３】
請求項２に記載のシャッター眼鏡において、
前記電池は前記回路基板の後方に配置されている、
ことを特徴とするシャッター眼鏡。
【請求項４】
請求項１乃至３のいずれかに記載のシャッター眼鏡において、
当該シャッター眼鏡の使用時に、ユーザの鼻で支持される鼻パッドをさらに備え、
前記電池は前記鼻パッドの上方に位置している、
ことを特徴とするシャッター眼鏡。
【請求項５】
請求項１乃至４のいずれかに記載のシャッター眼鏡において、
前記回路基板と前記電池と前記受信素子の前側に配置される前カバーをさらに備え、
前記前カバーは前記右眼用シャッターと前記左眼用シャッターと面一に配置されている、
ことを特徴とするシャッター眼鏡。
【請求項６】
請求項１乃至５のいずれかに記載のシャッター眼鏡において、
前記左眼用シャッターと右眼用シャッターとの間に配置され、前記電池を充電するための電線が接続されるコネクタをさらに備える、
ことを特徴とするシャッター眼鏡。
【発明の詳細な説明】
【技術分野】
【０００１】
本発明は、例えばフレームシーケンシャル方式により表示される三次元映像を見るために使用されるシャッター眼鏡に関する。
【背景技術】
【０００２】
従来、フレームシーケンシャル方式により表示される三次元映像を見るために、映像と同期して右眼用シャッターと左眼用シャッターとを駆動する液晶シャッター眼鏡が利用されている。この種のシャッター眼鏡は、映像表示装置からの同期信号を受信する受光素子を備えている。
【先行技術文献】
【特許文献】
【０００３】
【特許文献１】特開２０１１−７１７５７号公報
【発明の概要】
【発明が解決しようとする課題】
【０００４】
シャッター眼鏡のフレームの多くは、不要な外光がユーザの目に届くのを防止するために、その右端と左端とに壁状のシールド部を有している。従来のシャッター眼鏡では、２つのシャッターを駆動する駆動回路が実装された回路基板は、一方のシールド部に収容され、回路基板に電力を供給する電池は他方のシールド部に収容されている。このようなレイアウトでは、回路基板とシャッターとの接続や、回路基板と受光素子との接続、回路基板と電池との接続のために、シャッターの上縁或いは下縁に沿って電線を設ける必要が生じ、シャッター眼鏡の構造が複雑になる。
【０００５】
本発明の目的は、内部の配線を簡素化できるシャッター眼鏡を提供することにある。
【課題を解決するための手段】
【０００６】
本発明に係るシャッター眼鏡は、左眼用シャッターと右眼用シャッターとを備え、映像表示装置に表示される映像に同期してそれらを開閉するシャッター眼鏡である。前記シャッター眼鏡は、前記左眼用シャッターと前記右眼用シャッターとを駆動する駆動回路が実装された回路基板と、前記回路基板に電力を供給する電池と、前記映像表示装置から送信される同期信号を受信する受信素子と、を備える。前記回路基板と前記電池と前記受信素子は前記左眼用シャッターと前記右眼用シャッターとの間に配置されている。このレイアウトによれば、シャッター眼鏡の内部の配線を簡素化できる。
【図面の簡単な説明】
【０００７】
【図１】本発明の一実施形態に係るシャッター眼鏡の斜視図である。
【図２】上記シャッター眼鏡の分解斜視図である。
【図３】上記シャッター眼鏡の背面図である。
【図４】図３に示すＩＶ−ＩＶ線での断面図である。
【図５】図４のＶ−Ｖ線で示す面を切断面とするシャッター眼鏡の断面図である。
【図６】正面側から映像表示装置を見た様子を示す斜視図である。
【図７】背面側から映像表示装置を見た様子を示す斜視図である。
【図８】映像表示装置が備える本体部、台座、及び支柱の接続関係を示す分解斜視図である。
【発明を実施するための形態】
【０００８】
以下、本発明の一実施形態について図面を参照しながら説明する。図１は本発明の一実施形態に係るシャッター眼鏡１の斜視図である。図２はシャッター眼鏡１の分解斜視図である。図３はシャッター眼鏡１が備えるブリッジＤの背面図である。図４は図３に示すＩＶ−ＩＶ線での断面図である。図５は図４のＶ−Ｖ線で示す面を切断面とするシャッター眼鏡１の断面図である。以下の説明では、図１においてＸ１，Ｘ２で示す方向がそれぞれ左方向，右方向であり、Ｚ１，Ｚ２で示す方向がそれぞれ上方，下方である。また、図１においてＹ１，Ｙ２で示す方向がそれぞれ前方，後方である。
【０００９】
図１に示すように、シャッター眼鏡１は右眼用シャッター２Ｒと左眼用シャッター２Ｌとを有している。シャッター２Ｒ，２Ｌとしては、例えば液晶シャッターが利用され得る。シャッター眼鏡１は、例えば後述する映像表示装置１００（図６参照）に表示される映像に同期してシャッター２Ｒ，２Ｌを開閉する。すなわち、シャッター眼鏡１は映像表示装置１００にされる映像に同期してシャッター２Ｒ，２Ｌの液晶を駆動し、光透過を許容したり、光透過を規制する。映像表示装置１００が、例えばフレームシーケンシャル方式で三次元映像を表示する場合には、シャッター眼鏡１は、右眼用画像と左眼用画像の表示タイミングに合わせてシャッター２Ｒ，２Ｌを交互に開く。また、映像表示装置１００が、複数のユーザのそれぞれのために、互いに異なる画像をフレームシーケンシャル方式で表示する場合には、シャッター眼鏡１を使用するユーザのための画像が表示されているタイミングに合わせて、シャッター２Ｒ，２Ｌの双方を開く。映像表示装置１００については後において詳説する。
【００１０】
図１に示すように、シャッター眼鏡１はシャッター２Ｒ，２Ｌを保持するフレーム３を有している。フレーム３はその右側部分及び左側部分に開口３６を有し、シャッター２Ｒ，２Ｌは開口３６の内側でそれぞれ保持されている。また、フレーム３はシャッター２Ｒ，２Ｌの上縁から後方に張り出す庇状の上シールド部３３を有している。また、フレーム３は、その左右の端部に、シャッター２Ｒ，２Ｌの縁から後方に伸びる壁状のサイドシールド部３５を有している。これら上シールド部３３とサイドシールド部３５は、シャッター眼鏡１の使用時に、不要な外光を遮蔽する。さらに、フレーム３はシャッター２Ｒ，２Ｌの下縁を支持する下バー部３７を有している。
【００１１】
この例のフレーム３は、図２に示すように、前後方向において組み合わされる前フレーム３Ａと後フレーム３Ｂを有している。後フレーム３Ｂの縁には前フレーム３Ａに引っ掛かる爪が形成されており、この爪によって前フレーム３Ａと後フレーム３Ｂは互いに固定されている。これらが組み合わされた状態では、後フレーム３Ｂは前フレーム３Ａの内側に配置される。すなわち、前フレーム３Ａと後フレーム３Ｂは、上シールド部３３の外面を形成する外壁部３３Ａと、上シールド部３３の内面を形成する内壁部３３Ｂをそれぞれ有している。内壁部３３Ｂの上面には、上シールド部３３の強度を確保するための複数のリブ３３ａが形成されている。また、前フレーム３Ａと後フレーム３Ｂは、サイドシールド部３５の外面を形成する外壁部３５Ａと、サイドシールド部３５の内面を形成する内壁部３５Ｂをそれぞれ有している。さらに、前フレーム３Ａと後フレーム３Ｂとには開口３６Ａ，３６Ｂがそれぞれ形成されており、シャッター２Ｒ，２Ｌの外周縁は開口３６Ａの縁と開口３６Ｂの縁とによって挟まれ、保持される。
【００１２】
シャッター眼鏡１は、図１に示すように、フレーム３のサイドシールド部３５から後方に伸びるサイドアーム４を有している。サイドアーム４は、シャッター眼鏡１の使用時に、ユーザの耳で支持される。サイドアーム４の前端はサイドシールド部３５によって支持されている。この例では、サイドアーム４の前端は、サイドシールド部３５によって保持されるピン４１（図２参照）を通して支持される。左右のサイドアーム４はこのピン４１を中心にして内側に畳むことができる。
【００１３】
シャッター眼鏡１は、図２及び図４に示すように、シャッター２Ｒ，２Ｌを駆動する駆動回路（マイクロプロセッサ）５１が実装された回路基板５と、回路基板５に電力を供給する電池１２と、映像表示装置１００からの同期信号を受信する受信素子７とを備えている。受信素子７としては、例えば、映像表示装置１００から同期信号として送信される赤外線を検出する受光素子を利用できる。
【００１４】
図３及び図４に示すように、これら回路基板５、電池１２、及び受信素子７は２つのシャッター２Ｒ，２Ｌの間に配置されている。すなわち、フレーム３は、シャッター２Ｒ，２Ｌに掛け渡される中空のブリッジＤを有し（図１参照）、当該ブリッジＤの内側に、回路基板５、電池１２、及び受信素子７が配置されている。このようなレイアウトによれば、シャッター眼鏡１の重心位置を当該シャッター眼鏡１の左右方向の中心Ｃ１に近づけることができるので、ユーザがシャッター眼鏡１を快適に装着できるようになる。また、シャッター眼鏡１における配線を簡素化できる。つまり、回路基板５とシャッター２Ｒ，２Ｌとを繋ぐ電線２１（図２参照）を短くできる。この例の電線２１は、左右のシャッター２Ｒ，２Ｌの内側部分、すなわち、左右方向の中心Ｃ１寄りの部分から回路基板５に向けて伸びている。また、このレイアウトによれば、電池１２と回路基板５とを繋ぐ電線１２ａ（図２参照）をも短くできる。さらに、受信素子７と回路基板５とを容易に電気的に接続できる。この例では、受信素子７は回路基板５から前方に突出するように、当該回路基板５に実装されている。
【００１５】
この例の電池１２は薄い直方体状の電池である（図２参照）。図４に示すように、回路基板５と電池１２はいずれもその垂線がシャッター２Ｒ，２Ｌと同じ方向に向くように配置されている。すなわち、垂線は前方に向いている。回路基板５と電池１２は前後方向において並んでいる。このレイアウトによれば、シャッター眼鏡１の左右の重量の均衡を図り易くなる。すなわち、シャッター眼鏡１の重心位置を当該シャッター眼鏡１の左右方向の中心Ｃ１に近づけることが容易となる。好適には、回路基板５の左右方向の中心と電池１２の左右方向の中心は、シャッター眼鏡１の左右方向の中心Ｃ１に一致していることが望ましい。
【００１６】
図４に示すように、電池１２は回路基板５の後方に位置している。このレイアウトによれば、シャッター眼鏡１の使用時に、電池１２をユーザ寄りに位置させることができる。その結果、ユーザの鼻や耳によるシャッター眼鏡１の支持の安定性を向上できる。
【００１７】
また、駆動回路５１は、図４に示すように、回路基板５の後側に位置している。すなわち、駆動回路５１は、電池１２側の面に実装されている。このレイアウトによれば、回路基板５をブリッジＤの前側に位置させ易くなる。その結果、受信素子７による光の検出感度を増すことができる。なお、図２及び図４に示すように、駆動回路５１と電池１２との間にはシート状の緩衝部材１５が配置されている。
【００１８】
シャッター眼鏡１は、その使用時に、ユーザの鼻で支持される鼻パッド１１をさらに有している（図２及び図３参照）。図４に示すように、電池１２は鼻パッド１１の上方に配置され、電池１２の後面は鼻パッド１１の前面１１ａよりも後方に位置している。この例の鼻パッド１１は下方に開いた略Ｕ字形状を有している。電池１２は鼻パッド１１の最上部の上方に位置している。電池１２のこのようなレイアウトによれば、電池１２の荷重が鼻パッド１１を通してユーザの鼻に対して鉛直方向に作用するので、シャッター眼鏡１の支持安定性をさらに向上できる。
【００１９】
図４に示すように、後フレーム３Ｂは、その左右方向の中央部に、ブリッジＤの内側に形成されるスペースの下面を規定する後下壁部３２を有している。後下壁部３２は後述する後カバー１３に対して前方に凹んでおり、Ｌ字状の断面を有するように形成されている。鼻パッド１１の上部は後下壁部３２の内側（Ｌ字状の内側）に配置され、螺子１７（図２参照）によって後下壁部３２に取り付けられている。電池１２は後下壁部３２の上方に位置している。
【００２０】
この例の鼻パッド１１はエラストマーなどの弾性材料によって形成されている。また、鼻パッド１１は、図４に示すように、弾性材料の内部に配置される芯材１１ｂを有している。芯材１１ｂは針金などのユーザによる塑性変形が可能な材料によって形成されている。ユーザは自身の鼻に合わせて鼻パッド１１を変形させることができる。
【００２１】
図２及び図４に示すように、シャッター眼鏡１は電池１２の後側を覆う後カバー１３を有している。後カバー１３はブリッジＤの背面を規定している。電池１２はブリッジＤの内側に形成されるスペースの最後方に位置し、後カバー１３に接している。この例では、電池１２は後カバー１３によって回路基板５に向けて付勢されている。
【００２２】
図２に示すように、回路基板５と後カバー１３は互いに対応する形状を有している。回路基板５と後カバー１３は共通の螺子９によってフレーム３に固定されている（図３参照）。この例の回路基板５と後カバー１３は、それらの左右方向の幅が上方に向かって徐々に大きくなるように形成されている。回路基板５の上部の左右と後カバー１３の上部の左右とに、螺子９が差し込まれる孔が形成されている。
【００２３】
後フレーム３Ｂの後下壁部３２の下縁は、シャッター眼鏡１の正面視において、上述の鼻パッド１１と同様に、下方に開くように湾曲している。図４に示すように、後下壁部３２の下縁には前方に突出するフランジ部３８が形成されている。また、前フレーム３Ａは、その左右方向の中央部に、フランジ部３８とともにブリッジＤの下面を形成する前下壁部３９を有している。フランジ部３８と前下壁部３９も、下方に開くように湾曲している。回路基板５は上述した後下壁部３２よりも前方に位置し、その下縁の位置は電池１２の下縁よりも低い位置に位置している。回路基板５の下縁はフランジ部３８や前下壁部３９に合わせて湾曲している。これにより、回路基板５を矩形にする場合に比べて、回路基板５のサイズを増すことが可能となる。前フレーム３Ａには、鼻パッド１１を固定する２つの螺子１７がそれぞれ差し込まれるボス３９ａが形成されている（図４参照）。回路基板５の下縁はボス３９ａによって支持されている。これよって、回路基板５を安定的に支持できる。
【００２４】
この例の電池１２は二次電池である。図２に示すように、シャッター眼鏡１は電池１２を充電するための電線が接続可能なコネクタ５２を備えている。コネクタ５２としては例えばＵＳＢ規格のコネクタが利用され得る。コネクタ５２は左右のシャッター２Ｒ，２Ｌの間に位置している。この例ではコネクタ５２は回路基板５に実装されている。そのため、コネクタ５２と回路基板５とを繋ぐ電線が不要となっている。コネクタ５２は上方に開いた姿勢で配置されている。フレーム３の上シールド部３３（より具体的には前フレーム３Ａの外壁部３３Ａ）には、コネクタ５２を露出させるための開口３３ｂが形成されている。開口３３ｂはコネクタカバー８によって閉じられている（図１参照）。
【００２５】
図１に示すように、シャッター眼鏡１は、左右のシャッター２Ｒ，２Ｌよりも左右方向の中心Ｃ１寄りの位置に、電源ボタン１４を有している。電源ボタン１４は上シールド部３３に設けられている。このような位置に電源ボタン１４を設けることで、ユーザはシャッター眼鏡１を装着した状態で、その電源をオン／オフできる。図２に示すように、回路基板５にはスイッチ５３が実装されている。スイッチ５３は電源ボタン１４の下方に位置し、電源ボタン１４の押下操作に応じてオン／オフする。シャッター眼鏡１を組み立てた状態では、電源ボタン１４及びスイッチ５３と、コネクタ５２は左右方向において隣り合う。
【００２６】
回路基板５には、シャッター眼鏡１の動作状態をユーザに通知するための光源（具体的にはＬＥＤ）５４がさらに実装されている。光源５４はスイッチ５３の隣に配置されている。上シールド部３３（より具体的には前フレーム３Ａの外壁部３３Ａ）には、図１に示すように、光透過性を有する材料で形成され、光源５４を覆う光源カバー１８が設けられている。
【００２７】
図２及び図４に示すように、前フレーム３Ａは、その左右方向の中央部に、ブリッジＤの内側に形成されるスペースの前側を規定する前壁部３１を有している。前壁部３１には孔３１ａが形成されている。孔３１ａは受信素子７の前側に位置しており、映像表示装置１００から送信された同期信号はこの孔３１ａを通して受信素子７に入射することができる。
【００２８】
これまで説明したように、シャッター眼鏡１では全ての電気部品（上述した、回路基板５、それに実装された部品５１，５２，５３，５４、電池１２、及び受信素子７）が左右のシャッター２Ｒ，２Ｌの間に配置されている。そのため、サイドシールド部３５や上シールド部３３や下バー部３７には、電線が設けられていない。上述したように、上シールド部３３は、上述したように、前フレーム３Ａの外壁部３３Ａと、後フレーム３Ｂの内壁部３３Ｂとによって構成されている。この例では上シールド部３３に電線を設けていないため、上シールド部３３を構成する内壁部３３Ｂと外壁部３３Ａとの間に、上シールド部３３の強度を確保するためのリブ３３ａを形成し易くなる。その結果、上シールド部３３の強度を向上できる。図２に示すように、この例では、リブ３３ａは内壁部３３Ｂの後縁から前縁に向けて形成されている。複数のリブ３３ａは左右方向に等間隔で並んでいる。また、サイドシールド部３５は、上述したように、前フレーム３Ａの外壁部３５Ａと、後フレーム３Ｂの内壁部３５Ｂとによって構成されている。外壁部３５Ａと内壁部３５Ｂの内側には部品が配置されておらず、中空となっている。これにより、シャッター眼鏡１の装着時に、ユーザの耳にかかる負荷を軽減できる。
【００２９】
図４に示すように、シャッター眼鏡１は、回路基板５や電池１２の前側に配置される前カバー１６を備えている。前カバー１６は、前フレーム３Ａの中央部に設けられた前壁部３１の前面に取り付けられている。前カバー１６は前壁部３１に対応した形状を有し、受信素子７の前側に形成された孔３１ａを閉じている。前カバー１６は光透過性を有する材料で形成され、映像表示装置１００の光は前カバー１６と孔３１ａを通して受信素子７に入射する。
【００３０】
図５に示すように、前カバー１６は、左右のシャッター２Ｒ，２Ｌと面一となるように配置されている。すなわち、前カバー１６の右側部分と右眼用シャッター２Ｒは概ね同一平面に位置し、前カバー１６の左側部分と左眼用シャッター２Ｌは概ね同一平面に位置している。このような構造によれば、前カバー１６がシャッター２Ｒ，２Ｌよりも前方に位置する構造に比べて、ブリッジＤを形成する前壁部３１に外力が作用しにくい。その結果、ブリッジＤに収容される電気部品に負荷がかかることを抑えることができる。
【００３１】
図２及び図５に示すように、後フレーム３ＢはブリッジＤの側面を形成する内側壁部３４を有している。内側壁部３４は左右のシャッター２Ｒ，２Ｌの内側の縁２ａに沿って形成されている。内側壁部３４の前縁３４ａはシャッター２Ｒ，２Ｌの縁２ａの後方に位置し、当該縁２ａに当っている。この構造によれば、縁２ａの後方への移動が規制され、前カバー１６とシャッター２Ｒ，２Ｌの縁２ａとの位置関係が適切に維持され得る。すなわち、シャッター２Ｒ，２Ｌが前カバー１６に対して面一に配置された状態が維持される。
【００３２】
上述したように、後フレーム３Ｂは後下壁部３２の下縁から前方に突出するフランジ部３８を有している。前フレーム３Ａは前壁部３１の下縁に形成される前下壁部３９を有している。ブリッジＤの内側のスペースは、後フレーム３Ｂの内側壁部３４と後下壁部３２とフランジ部３８と、前フレーム３Ａの前壁部３１と前下壁部３９と、後カバー１３とによって、閉じたスペースとして形成されている。これら壁部、カバー及びフランジ部によって、ブリッジＤに収容される部品が保護される。
【００３３】
ここで映像表示装置１００について説明する。図６及び図７は映像表示装置１００の外観を示す斜視図であって、図６は正面側から、図７は背面側から、それぞれ映像表示装置１００を見た様子を示している。これらの図に示すように、映像表示装置１００は、本体部１１０、台座１２０、及び支柱１３０を含んで構成されている。
【００３４】
本体部１１０は、映像表示装置１００の本体であって、その正面側に映像を表示する表示画面１１１を備えている。また、本体部１１０の正面には、表示画面１１１の中央下側に状態表示インジケーター１１２が、表示画面１１１の左下に電源インジケーター１１３が、表示画面１１１の左右に音声を再生するスピーカー１１４が、それぞれ配置されている。状態表示インジケーター１１２及び電源インジケーター１１３は、映像表示装置１００の動作状態を表示するために用いられる。
【００３５】
本体部１１０の背面には、外部の機器（例えば家庭用ゲーム機等）との間で信号を入出力するための複数の入出力端子１１５が設けられている。具体的に、映像表示装置１００は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に対応した映像信号やコンポーネント映像信号などの映像信号を入力するための入力端子を備えている。また、音声信号等を外部に出力するための出力端子を備えてもよい。
【００３６】
本体部１１０の背面には、電源ボタンを含む複数の操作ボタン１１６が配置されている。これらの操作ボタン１１６は、例えば映像表示装置１００の各種の設定変更や表示の調整を行うために使用される。
【００３７】
本体部１１０、台座１２０，及び支柱１３０は互いに取り外し可能に構成されている。図８は、これらの接続関係を示す分解斜視図である。支柱１３０は、台座１２０の底面側からねじ止めされることによって台座１２０に固定される。また、本体部１１０の背面には、穴１１８が形成された中空の接続部１１７が配置されている。一方、支柱１３０の上部には突起部１３２が設けられた挿入部１３１が配置されている。この突起部１３２は、内側に押し込み可能になっており、かつ挿入部１３１から突出する方向に付勢されている。支柱１３０の挿入部１３１を接続部１１７に挿入すると、突起部１３２が穴１１８に係合して本体部１１０が支柱１３０に固定される。本体部１１０が支柱１３０に固定されている状態において、突起部１３２を内側に押し込みながら本体部１１０を上方に引き上げると、本体部１１０を支柱１３０から取り外すことができる。このように、工具を使用せずにユーザが容易に手で本体部１１０を支柱１３０に対して取り付け・取り外しできるようになっている。そのためユーザは、場合によって、本体部１１０を支柱１３０から取り外し、任意の場所に置いて映像を視聴することもできる。なお、図７に示すように、入出力端子１１５は本体部１１０の側面に配置されているので、本体部１１０の背面が下向きになるように本体部１１０を床面に置いた場合にも、ケーブル類の入出力端子１１５への接続が可能になっている。そのため、ユーザは表示画面１１１が水平になる向きで本体部１１０を床面に置いた状態でも映像を視聴することができる。
【００３８】
さらに、映像表示装置１００は、フレームシーケンシャル方式の立体表示に対応している。すなわち、映像表示装置１００は、シャッター眼鏡１とともに、フレームシーケンシャル方式の映像表示システムを構成する。具体的に、映像表示装置１００は、右眼用画像及び左眼用画像を時分割で交互に切り替えて表示画面１１１に表示する。また、本体部１１０にはトランスミッター１１９が配置されており、このトランスミッター１１９が対応するシャッター眼鏡１に対して画像切り替えのタイミングを知らせる同期信号を送出している。シャッター眼鏡１は、この同期信号を受信して、表示画面１１１に右眼用画像が表示されている間は左眼用シャッター２Ｌを閉じ、左眼用画像が表示されている間は右眼用シャッター２Ｒを閉じる。これにより、シャッター眼鏡１をかけたユーザは左眼で左眼用画像を、右眼で右眼用画像を、それぞれ見ることができる。
【００３９】
また、映像表示装置１００は、このようなフレームシーケンシャルの表示方式を利用して、複数のユーザのそれぞれに互いに異なる画像を視聴させることもできる。具体的に、映像表示装置１００は、右眼用画像及び左眼用画像の代わりに、ユーザＡ用の画像、及びユーザＢ用の画像を、交互に切り替えて表示画面１１１に表示する。また、トランスミッター１１９は、ユーザＡが使用するシャッター眼鏡１、及びユーザＢが使用するシャッター眼鏡１のそれぞれに対して、画像の切り替えタイミングを知らせる信号を送出する。この信号を受けて、ユーザＡが使用するシャッター眼鏡１は、ユーザＢ用の画像が表示されている間両眼のシャッター２Ｒ，２Ｌを閉じ、ユーザＡ用の画像が表示されている間は両眼のシャッター２Ｒ，２Ｌを開ける。逆に、ユーザＢが使用するシャッター眼鏡１は、ユーザＡ用の画像が表示されている間両眼のシャッター２Ｒ，２Ｌを閉じ、ユーザＢ用の画像が表示されている間は両眼のシャッター２Ｒ，２Ｌを開ける。こうすれば、二人のユーザが互いに全く別の映像を視聴することができる。
【００４０】
以上説明したように、シャッター眼鏡１では、回路基板５と電池１２と受信素子７は左眼用シャッター２Ｌと右眼用シャッター２Ｒとの間に配置されている。このようなレイアウトによれば、シャッター眼鏡１の内部の配線を簡素化できる。
【００４１】
また、シャッター眼鏡１では、電池１２と回路基板５は前後方向において並んでいる。このレイアウトによれば、シャッター眼鏡１の左右の重量の均衡を図り易くなる。
【００４２】
また、シャッター眼鏡１では、電池１２は回路基板５の後方に配置されている。このレイアウトによれば、シャッター眼鏡１の使用時に、ほかの部品に比して重量の大きい電池１２をユーザ寄りに位置させることができる。その結果、ユーザの鼻や耳によるシャッター眼鏡１の支持の安定性を向上できる。
【００４３】
シャッター眼鏡１では、電池１２は鼻パッド１１の上方に位置している。このようなレイアウトによれば、電池１２の荷重が鼻パッド１１を通してユーザの鼻に対して鉛直方向に作用するので、シャッター眼鏡１の支持安定性をさらに向上できる。
【００４４】
また、シャッター眼鏡１では、前カバー１６は回路基板５と電池１２と受信素子７の前側に配置され、右眼用シャッター２Ｒと左眼用シャッター２Ｌと面一に配置されている。この構造によれば、前カバー１６がシャッター２Ｒ，２Ｌよりも前方に位置する構造に比べて、ブリッジＤを形成する前壁部３１に外力が作用しにくい。その結果、ブリッジＤに収容される回路基板５等に負荷が掛ることを抑えることができる。
【００４５】
また、シャッター眼鏡１では、電池１２を充電するための電線が接続されるコネクタ５２も、左眼用シャッター２Ｌと右眼用シャッター２Ｒとの間に配置されている。このレイアウトによれば、シャッター眼鏡１内部での配線をさらに簡素化できる。
【００４６】
なお、本発明は以上説明したシャッター眼鏡１に限られず、種々の変更が可能である。
【００４７】
例えば、以上の説明では電池１２と回路基板５は前後方向において並んでいた。しかしながら、電池１２と回路基板５のレイアウトはこれに限られず、これらは左右方向に並んで配置されてもよい。
【００４８】
また、以上の説明では、前カバー１６は左右のシャッター２Ｒ，２Ｌと面一に配置されていたが、前カバー１６はシャッター２Ｒ，２Ｌよりも前方に位置してもよい。
【００４９】
また、電池１２としては一次電池が使用されてもよい。この場合、コネクタ５２は必ずしも設けられていなくてもよい。また、この場合、後カバー１３を取り外すことで、電池１２は交換されてもよい。
【符号の説明】
【００５０】
１  シャッター眼鏡、２Ｌ，２Ｒ  シャッター、３  フレーム、３Ａ  前フレーム、３Ｂ  後フレーム、４  サイドアーム、５  回路基板、７  受信素子、８  コネクタカバー、９  螺子、１１  鼻パッド、１２  電池、１３  後カバー、１４  電源ボタン、１５  緩衝部材、１６  前カバー、３１  前壁部、３２  後下壁部、３３  上シールド部、３４  内側壁部、３５  サイドシールド部、３７  下バー部、３８  フランジ部、３９  前下壁部、５１  駆動回路、１００  映像表示装置。
【図１】
2012253633.tif 000003
【図２】
2012253633.tif 000004
【図３】
2012253633.tif 000005
【図４】
2012253633.tif 000006
【図５】
2012253633.tif 000007
【図６】
2012253633.tif 000008
【図７】
2012253633.tif 000009
【図８】
2012253633.tif 000010